(57)【要約】【課題】ラチェットギアと係合爪との係合によりチルト角を保持するチルト装置において、チルト部に所定の押圧力を超える大きな押圧力が掛かっても、各構成要素の破損を確実に回避する。【解決手段】チルト装置２０は、ラチェット歯２３ａと係合爪２４ｂとの係合によりチルト部のチルト角を保持する。ラチェット歯２３ａにおいて係合爪２４ｂと接する歯面Ｐは、歯面Ｐの基端側端部を通る半径線ｒに対して所定の開き角α（α＞０°）を形成するような傾斜面により形成されており、これにより係合爪２４ｂがラチェット歯２３ａから受ける反力Ｆｐの半径線ｒ方向の分力Ｆａが、係合爪２４ｂをラチェット歯２３ａに向けて付勢する付勢力Ｆａとは逆方向を向く。これによりチルト部に大きな押圧力が加わると、ラチェット歯２３ａと係合爪２４ｂとの係合が解除され、係合爪２４ｂが一段下に下がり、構成部材の破損が回避される。【選択図】図７
2010005942.tif 000002
【特許請求の範囲】
【請求項１】
機器本体に対して回動可能なチルト部の回動中心まわりに沿って複数の歯部を備えたチルト角保持部材、および前記歯部と係合／係合解除可能な係合爪を備えた可動部材を備えて構成され、前記歯部と前記係合爪との係合により前記チルト部のチルト角を保持するチルト角保持手段を有し、
前記歯部は、前記係合爪と接して前記チルト部のチルト角を保持する側の歯面が、前記歯面の基端側端部を通る前記チルト角保持部材の半径線に対し開き角を成す傾斜面により形成されている、
ことを特徴とするチルト装置。
【請求項２】
機器本体に対して回動可能なチルト部の回動中心まわりに沿って複数の歯部を備えたチルト角保持部材、および前記歯部と係合／係合解除可能な係合爪を備えた可動部材を備えて構成され、前記歯部と前記係合爪との係合により前記チルト部のチルト角を保持するチルト角保持手段を有し、
前記歯部または前記係合爪は、前記係合爪が前記歯部に圧接する方向の押圧力が前記チルト部に加わった際に、前記係合爪が前記歯部から離れる方向の力が生じる形状を成している、
ことを特徴とするチルト装置。
【請求項３】
請求項１または２に記載のチルト装置において、前記係合爪が前記歯部に係合する方向に前記可動部材を付勢する付勢手段を備え、
前記係合爪が前記歯部に圧接する方向の押圧力が前記チルト部に掛かった際の前記押圧力が予め設定された基準値を超えた際に、前記可動部材に作用する、前記係合爪が歯部から離れる方向の力Ｆａが、前記付勢手段が前記可動部材を付勢する付勢力Ｆｂを超えるよう前記付勢力Ｆｂが設定されている、
ことを特徴とするチルト装置。
【請求項４】
被記録媒体に記録を行う記録手段と、
各種情報を表示する情報表示部及び各種操作設定を行う操作設定部を備えたチルト部のチルト角を保持する、請求項１から３のいずれか１項に記載の前記チルト装置と、
を備えたことを特徴とする記録装置。
【発明の詳細な説明】
【技術分野】
【０００１】
本発明は、機器本体に対してチルト可能に設けられるチルト部のチルト角を保持するチルト装置、および当該チルト装置を備えた、ファクシミリやプリンタ等に代表される記録装置に関する。
【背景技術】
【０００２】
電子機器には各種情報を表示する情報表示部（例えば、液晶表示部などにより構成される）及び各種操作設定を行う為の操作ボタンや電源ボタン等を備えた操作設定部をチルトパネルに備え、チルト機構を介してユーザが情報の視認や操作設定を行い易い任意のチルト角で保持できるようになっている。
【０００３】
チルト機構は、例えば特許文献１に示されるようにラチェットギアと係合爪とを備えたラチェット機構を備えて構成され、このラチェット機構によって一定方向へのパネル回動は許容し、その逆方向へのパネル回動は制限して、小刻みにチルト角を調整可能とするとともに任意のチルト角を保持できるようになっている。
【特許文献１】特開２００７−１６４３３１号公報
【発明の開示】
【発明が解決しようとする課題】
【０００４】
ところでラチェット機構はパネルの自重を支えることができる他、ボタン操作などの際に所定の押圧力が掛かってもチルト角を保持できるようになっている。しかしながら想定外の大きな押圧力が加えられると、ラチェット機構が破損し、或いはチルト部そのものが破損する虞がある。  
また所定の押圧力が掛かっても各構成要素の破損を招かないようにする為には各構成要素を大型化することも考えられるが、この場合には装置全体の大型化を招いてしまう。
る。
【０００５】
そこで本発明はこの様な状況に鑑みなされたものであり、その目的は、ラチェットギアと係合爪との係合によりチルト角を保持するチルト装置において、装置の大型化を伴うことなく、チルト部に所定の押圧力を超える大きな押圧力が掛かっても、各構成要素の破損を確実に回避することにある。
【課題を解決するための手段】
【０００６】
上記課題を解決するために、本発明の第１の態様に係るチルト装置は、機器本体に対して回動可能なチルト部の回動中心まわりに沿って複数の歯部を備えたチルト角保持部材、および前記歯部と係合／係合解除可能な係合爪を備えた可動部材を備えて構成され、前記歯部と前記係合爪との係合により前記チルト部のチルト角を保持するチルト角保持手段を有し、前記歯部は、前記係合爪と接して前記チルト部のチルト角を保持する側の歯面が、前記歯面の基端側端部を通る前記チルト角保持部材の半径線に対し開き角を成す傾斜面により形成されていることを特徴とする。
【０００７】
本態様によれば、歯部において係合爪と接してチルト部のチルト角を保持する側の歯面が、当該歯面の基端側端部を通る半径線に対し開き角を成す傾斜面により形成されているので、チルト部に大きな押圧力が掛かると、係合爪が歯部の歯面に接しながら滑り、やがてその接している歯部との係合が解除される。従ってチルト部に所定の押圧力を超える大きな押圧力が掛かっても、各構成要素の破損を確実に回避することができる。
【０００８】
本発明の第２の態様に係るチルト装置は、機器本体に対して回動可能なチルト部の回動中心まわりに沿って複数の歯部を備えたチルト角保持部材、および前記歯部と係合／係合解除可能な係合爪を備えた可動部材を備えて構成され、前記歯部と前記係合爪との係合により前記チルト部のチルト角を保持するチルト角保持手段を有し、前記歯部または前記係合爪は、前記係合爪が前記歯部に圧接する方向の押圧力が前記チルト部に加わった際に、前記係合爪が前記歯部から離れる方向の力が生じる形状を成していることを特徴とする。
【０００９】
本態様によれば、前記歯部または前記係合爪は、前記係合爪が前記歯部に圧接する方向の押圧力が前記チルト部に加わった際に、前記係合爪が前記歯部から離れる方向の力が生じる形状を成しているので、チルト部に大きな押圧力が掛かると、歯部と係合爪との係合が解除される。従ってチルト部に所定の押圧力を超える大きな押圧力が掛かっても、各構成要素の破損を確実に回避することができる。
【００１０】
本発明の第３の態様に係るチルト装置は、第１のまたは第２の態様において、前記係合爪が前記歯部に係合する方向に前記可動部材を付勢する付勢手段を備え、前記係合爪が前記歯部に圧接する方向の押圧力が前記チルト部に掛かった際の前記押圧力が予め設定された基準値を超えた際に、前記可動部材に作用する、前記係合爪が前記歯部から離れる方向の力Ｆａが、前記付勢手段が前記可動部材を付勢する付勢力Ｆｂを超えるよう前記付勢力Ｆｂが設定されていることを特徴とする。
【００１１】
本態様によれば、係合爪が歯部に係合する方向に可動部材を付勢する付勢手段を備えているので、歯部と係合爪との係合が確実に維持される。その一方で、チルト部に大きな押圧力が掛かった際に、可動部材に作用する、係合爪が歯部から離れる方向の力Ｆａが、前記付勢手段が可動部材を歯部に向けて付勢する付勢力Ｆｂを超えるよう、前記付勢力Ｆｂが設定されているので、チルト部に所定の押圧力を超える大きな押圧力が掛かっても、各構成要素の破損を確実に回避することができる。
【００１２】
本発明の第４の態様に係る記録装置は、被記録媒体に記録を行う記録手段と、各種情報を表示する情報表示部及び各種操作設定を行う操作設定部を備えたチルト部のチルト角を保持する、第１から３の態様のいずれかに係る前記チルト装置とを備えたことを特徴とする。本態様によれば、被記録媒体に記録を行う記録装置において、上記第１のまたは第２の態様と同様な作用効果を得ることができる。
【発明を実施するための最良の形態】
【００１３】
以下、図１〜図７を参照しながら本発明の実施形態について説明する。ここで、図１及び図２は本発明に係るインクジェット複合機１Ａの外観斜視図、図３は本発明に係るチルト装置２０の斜視図、図４は同分解斜視図、図５は同断面斜視図、図６（Ａ）、（Ｂ）は同断面図、図７（Ａ）はラチェット歯２３ａと係合爪２４ｂとの係合部分の拡大図、図７（Ｂ）はラチェット歯２３ａと係合爪２４ｂとの圧接により生じる力の作用方向を説明する図である。
【００１４】
図１及び図２において被記録媒体に記録を行う記録装置の一例としてのインクジェット複合機１Ａは、被記録媒体に記録を実行する記録手段（図示せず）を備えたインクジェットプリンタ機構（図示せず）と、スキャナ機構（図示せず）とを併せ持った複合機であり、符号１ａは上記インクジェットプリンタ機構及びスキャナ機構を備えた装置本体を示し、また符号２は装置本体１ａの上部に設けられ、スキャナ機構の原稿台（図示せず）を開閉する原稿台カバー２を示している。
【００１５】
符号４は装置底部に設けられ、装置手前側に引き出すことで用紙（図示せず）をセット可能となる用紙カセットを示しており、また符号５は装置手前側に引き出すことで展開状態となり、記録の行われた用紙をスタック可能な状態となる引き出し式用紙スタッカを示している。
【００１６】
更に符号３は画像データなどが記憶された記憶媒体（図示せず）を挿入する記憶媒体挿入部を示していて、インクジェット複合機１Ａは、記憶媒体挿入部３に挿入された記憶媒体に記憶された画像データを、外部コンピュータによらず、単独でインクジェット記録可能な所謂スタンドアロン型プリンタとして構成されている。
【００１７】
そして装置手前側中央部には、チルト部としてのチルトパネルユニット１０Ａが設けられている。チルトパネルユニット１０Ａは、プレビュー画像やユーザインタフェースなどの各種情報を表示する、液晶モニタなどで構成される情報表示部１１と、各種設定を行うタッチボタンが複数配列されて成る操作設定部１２と、を備えている。
【００１８】
チルトパネルユニット１０Ａは後述するチルト装置２０を介してインクジェット複合機１Ａの装置本体１ａに対して回動（チルト）可能に設けられており、またそのチルト角が、チルト装置２０によって例えば図２に示すような角度に保持されるようになっていて、ユーザにとって視認性及び操作性の良好な任意の角度で保持できるようになっている。
【００１９】
図１において符号２１はチルト装置２０を構成する押しボタンを示しており、チルトパネルユニット１０Ａを図１の垂直姿勢から図２に示すような傾斜姿勢にチルトさせた後、押しボタン２１を押下することによりチルト角の保持状態が解除され、図１の垂直姿勢に戻ることができるようになっている。
【００２０】
続いて図３〜図６を参照しながらチルト装置２０について詳説する。  
本実施形態に係るチルト装置２０は、プリンタ本体側に固定状態で設けられる支持部材２２及びこの支持部材２２の軸２２ａに装着されるラチェット部材２３と、チルトパネルユニット１０Ａの基体を構成するフレーム１４Ａに対しスライド可能に設けられる可動部材２４及び押しボタン２１を備えている。また可動部材２４と押しボタン２１との間には押圧ばね２５が、また可動部材２４とフレーム１４Ａとの間には押圧ばね２６が、それぞれ設けられている。
【００２１】
支持部材２２の軸２２ａは、チルトパネルユニット１０Ａの回動中心を形成する軸であり、この軸２２ａに固定状態で装着されるラチェット部材２３は、円筒状部材の外周に沿って「歯部」としてのラチェット歯２３ａを複数備えて構成されている。
【００２２】
可動部材２４は、ラチェット部材２３が遊挿される穴部２４ａを有するとともに、その穴部２４ａの内側に係合爪２４ｂを備えている。また可動部材２４は円筒部２４ｃを有しており、この円筒部２４ｃが、フレーム１４Ａに形成されたホルダ１５に遊挿されるようになっている。
【００２３】
可動部材２４は、円筒部２４ｃがホルダ１５に遊挿されることにより、図３〜図５の上下方向、即ち押しボタン２１のストローク方向にスライド可能となっており、スライドすることにより（押しボタン２１が操作されることにより）、係合爪２４ｂのラチェット歯２３ａに対する係合及び係合解除の切り替えを行う。
【００２４】
また、穴部２４ａにラチェット部材２３が遊挿されることで、可動部材２４はラチェット部材２３（軸２２ａ）を軸として回転可能となり、即ちチルトパネルユニット１０Ａがラチェット部材２３（軸２２ａ）を軸として回転可能となっている。
【００２５】
押しボタン２１は側方に突起２１ａを備えており、チルトパネルユニット１０Ａのフレーム内側を規制面（図６において符号Ｓｒで示す）に突起２１ａが当接することにより、その上下動ストロークの上限位置が定まるようになっている。尚、押しボタン２１の上下動ストロークの下限位置は、当該押しボタン２１を押し込んだ際に可動部材２４における円筒部２４ｃの下端部がホルダ１５における内底面１５ａに当接し、且つ押しボタン２１が可動部材２４の上部に当接することにより定まる。
【００２６】
可動部材２４における円筒部２４ｃには、その内側の凹部２４ｄに第１付勢部材としての押圧ばね２６が配設され、この押圧ばね２６が、ホルダ１５における内底面１５ａとの間で付勢力を発揮することにより、可動部材２４を、係合爪２４ｂがラチェット歯２３に係合する方向に付勢する。
【００２７】
また可動部材２４の上部と押しボタン２１（より詳しくはその内部に形成された凹部２１ｂ）との間には、押しボタン２１を上下動ストロークの上限位置に向けて付勢する、第２付勢部材および位置決め手段としての押圧ばね２５が設けられ、押しボタン２１は、常に上限位置に向けて付勢された状態となり、上限位置いっぱいに位置決めされて上方への移動しろ（ガタ）が無いように設けられている。
【００２８】
以上がチルト装置２０の構成であり、以下チルト装置２０の動作について説明する。図６（Ａ）はチルトパネルユニット１０Ａが垂直姿勢の状態（図１の状態）、即ちチルトされていない状態を示しており、符号Ｓｐはチルトパネルユニット１０Ａのパネル上面を示している。
【００２９】
ラチェット歯２３ａ及び係合爪２４ｂは、可動部材２４の図６の反時計回り方向への回動、即ちチルトパネルユニット１０Ａを装置手前側方向にチルトさせる方向の回動は許容する歯形に形成されている。
【００３０】
従ってチルトパネルユニット１０Ａを図６の反時計回り方向にチルトさせる場合には、図６（Ａ）から図６（Ｂ）への変化に示すように係合爪２４ｂがラチェット歯２３ａを容易に乗り越えながら、ラチェット部材２３の外周面に沿って動くようになっている。尚このとき、係合爪２４ｂは２つのラチェット歯２３ａの間の谷に入り込みながら動くので、可動部材２４は、ラチェット部材２３の半径方向に小刻みに動く。
【００３１】
そして任意のチルト角でチルトパネルユニット１０Ａから手を離しても、ラチェット歯２３ａ及び係合爪２４ｂは、可動部材２４の図６の時計回り方向への回動、即ちチルトパネルユニット１０Ａが垂直姿勢（図６（Ａ））に戻る方向への回動は拘束する歯形に形成されているので、ラチェット歯２３ａと係合爪２４ｂとの係合により、そのチルト角が確実に保持される。
【００３２】
以上の通り、ラチェット歯２３ａ及び係合爪２４ｂを備えて成るラチェット機構は、チルトパネルユニット１０Ａのチルト角を保持するチルト角保持手段を構成する。そしてこのチルト角保持手段により、チルトパネルユニット１０Ａのチルト角が小刻みに調整できるようになっている。
【００３３】
一方、チルトパネルユニット１０Ａを垂直姿勢（図６（Ａ））に戻したい場合には、押しボタン２１を上限位置から下限位置に向けて押下する。すると、可動部材２１が変位し、係合爪２４ｂがラチェット歯２３ａとの係合を解除し（ラチェット歯２３ａから離間し）、これによりチルトパネルユニット１０Ａを垂直姿勢に戻すことができる。
【００３４】
ここで、チルトパネルユニット１０Ａをチルトさせる際、上述した通り係合爪２４ｂは２つのラチェット歯２３ａの間の谷に入り込みながら動く（飛び跳ねながら動く）ので、可動部材２４が、ラチェット部材２３の半径方向に小刻みに動く。このため、仮に可動部材２４と押しボタン２１とを直接係合させると、チルトパネルユニット１０Ａのチルト動作に伴って押しボタン２１が小刻みに振動して装置の外観上好ましくない状態となる。また、押しボタン２１の不要な上下動に伴って押しボタン２１の摺動摩擦抵抗が次第に大きくなり、押しボタン２１の操作感が早期に低下してしまう虞もある。
【００３５】
しかしながら本実施形態においては、押しボタン２１を押下しない非操作状態において、押しボタン２１が押圧ばね２５により上下動ストロークにおける上限位置いっぱいに位置決めされており、すなわち非操作状態においては上方へ移動することのできる移動しろ（ガタ）が排除されている。このため、チルト動作に伴い可動部材２４が小刻みに動いても、押しボタン２１が小刻みに振動（微動）することが防止されている。
【００３６】
尚、押圧ばね２５を介して可動部材２４の小刻みな動きを吸収するので、押しボタン２１の非操作状態において当該押しボタン２１と可動部材２４とが直接接触することは好ましくなく、所定の間隔を空けて配置されていることが好ましい。
【００３７】
次に、ラチェット歯２３ａの歯形について図７を参照しながら詳説する。図７（Ａ）に示すように、ラチェット歯２３ａ及び係合爪２４ｂは、チルトパネルユニット１０Ａの自重を支えることができる他、ボタン操作などの際に所定の押圧力（図６（Ｂ）において符号Ｆで示す）が掛かってもチルト角を保持できる形状を成している。しかしながらこのチルト角の保持が厳格であると、想定外の大きな押圧力Ｆが加わった際に、ラチェット歯２３ａや係合爪２４ｂ、或いはチルトパネルユニット１０Ａの側が破損する虞がある。
【００３８】
そこで本実施形態では、ラチェット歯２３ａにおいて係合爪２４ｂと接してチルト角を保持する側の歯面（図７（Ａ）、（Ｂ）において符号Ｐで示す）を、歯面Ｐの基端側端部（図７（Ｂ）において符号Ｑで示す）を通るラチェット部材２３の半径線（図７（Ａ）、（Ｂ）において符号ｒで示す）に対し開き角（図７（Ｂ）において符号αで示す）を成す傾斜面により形成した。
【００３９】
以下、更に詳説する。図７（Ａ）、（Ｂ）において半径線ｒは、ラチェット部材２３（軸２２ａ）の軸中心位置ｃ（即ち、チルトパネルユニット１０Ａの回動中心）を通る半径線であり、図７（Ｂ）において線ｓは、歯面Ｐを外側に延長した線を示している。図示するように、歯面Ｐは、当該歯面Ｐの基端側端部Ｑを通る半径線ｒに対し開き角α（α＞０°）を成す傾斜面により形成されている。尚、本実施形態では、係合爪２４ｂ側においてラチェット歯２３ａの歯面Ｐと接する歯面は、歯面Ｐと平行に形成されている。
【００４０】
ここで、符号Ｆｐはチルトパネルユニット１０Ａに所定の押圧力Ｆが加えられた際に係合爪２４ｂがラチェット歯２３ａから受ける反力を示しており、この反力Ｆｐは歯面Ｐに垂直な方向を向いている。また符号Ｆａは、反力Ｆｐの、可動部材２４のスライド可能方向に平行な方向の分力を示しており、符号Ｆｂは、可動部材２４が押圧ばね２６により付勢される付勢力を示している。
【００４１】
ここで仮に、歯面Ｐが符号Ｐ’で示すように半径線ｒに対して所定の開き角を形成しない場合、即ちラチェット歯２３ａが鋭角歯である場合には、分力Ｆａは付勢力Ｆｂと同じ方向を向き、チルトパネルユニット１０Ａに加わる押圧力Ｆが増加するほどラチェット歯２３ａと係合爪２４ｂとの係合状態が強固なものとなる。故にこの場合、前記押圧力Ｆが大きくなり過ぎると、ラチェット歯２３ａや係合爪２４ｂ、或いはチルトパネルユニット１０Ａの側が破損する虞がある。
【００４２】
これに対し本実施形態では上述の通り歯面Ｐを半径線ｒに対して所定の開き角α（α＞０°）を形成するような傾斜面で形成したので、反力Ｆｐの分力Ｆａは図７（Ｂ）に示す通り付勢力Ｆｂとは逆方向を向く。
【００４３】
従ってラチェット歯２３ａと係合爪２４ｂとにより所定のチルト角が保持された状態で所定の押圧力Ｆを超える大きな押圧力Ｆがチルトパネルユニット１０Ａに上から加わると、分力Ｆａが付勢力Ｆｂに勝り、その結果係合爪２４ｂが歯面Ｐに接しながら同図右方向に滑り、ラチェット歯２３ａと係合爪２４ｂとの係合が解除されて、係合爪２４ｂが一段下に下がることが可能となっている。また、付勢力Ｆｂが、その様な付勢力の大きさに設定されている。
【００４４】
従ってチルトパネルユニット１０Ａに所定の押圧力Ｆを超える大きな押圧力Ｆが掛かっても、各構成要素の破損を確実に回避することが可能となっている。また、所定の押圧力Ｆが掛かっても各構成要素の破損を招かないようにする為にラチェット歯２３ａや係合爪２４ｂなどを大型化せずに済むので、装置全体の大型化を回避することができる。
【００４５】
尚、ラチェット歯２３ａと係合爪２４ｂとの係合が解除される際の押圧力Ｆを基準負荷とすると、この基準負荷は、例えばラチェット歯２３ａや係合爪２４ｂなどの各構成部位の強度を基準として予め設定することができ、或いは、チルトパネルユニット１０Ａのボタン操作時にユーザから受ける押圧力に所定の余裕を加えた値を基準として、予め求めることができる。
【００４６】
尚、以上説明したラチェット歯２３ａ及び係合爪２４ｂの形状の他にも、チルトパネルユニット１０Ａに掛かる押圧力Ｆが所定の大きさに達するまではチルト角を保持可能（ラチェット歯２３ａと係合爪２４ｂとの係合状態を維持可能）であるとともに、チルトパネルユニット１０Ａに一定以上の押圧力Ｆが加わった際に、係合爪２４ｂがラチェット歯２３ａから離れる方向の力が生じる形状を成していれば、ラチェット歯２３ａ或いは係合爪２４ｂはどのような形状であっても構わない。
【図面の簡単な説明】
【００４７】
【図１】本発明に係るインクジェット複合機の外観斜視図。
【図２】本発明に係るインクジェット複合機の外観斜視図。
【図３】本発明に係るチルト装置の斜視図。
【図４】本発明に係るチルト装置の分解斜視図。
【図５】本発明に係るチルト装置の断面斜視図。
【図６】（Ａ）、（Ｂ）は本発明に係るチルト装置の断面図。
【図７】（Ａ）はラチェット歯と係合爪との係合部分の拡大図、（Ｂ）はラチェット歯と係合爪との圧接により生じる力の作用方向を説明する図。
【符号の説明】
【００４８】
１Ａ  インクジェット複合機、１ａ  装置本体、２  原稿台カバー、３  記憶媒体挿入部、４  用紙カセット、５  引き出し式用紙スタッカ、１０Ａ  チルトパネルユニット、１１  情報表示部、１２  操作設定部、１４Ａ  フレーム、１５  ホルダ、
２０  チルト装置、２１  押しボタン、２１ａ  突起、２１ｂ  凹部、２２  支持部材、２２ａ  軸、２３  ラチェット部材、２３ａ  ラチェット歯、２４  可動部材、２４ａ  穴部、２４ｂ  係合爪、２４ｃ  円筒部、２４ｄ  凹部、２５、２６  押圧ばね
【図１】
2010005942.tif 000003
【図２】
2010005942.tif 000004
【図３】
2010005942.tif 000005
【図４】
2010005942.tif 000006
【図５】
2010005942.tif 000007
【図６】
2010005942.tif 000008
【図７】
2010005942.tif 000009